(57)【要約】【課題】宛先となる端末装置の画面に表示される電子メールの文章の体裁を確認することができる携帯端末装置を提供する。【解決手段】携帯電話機１は、図示しないアンテナを介して基地局と送受信する各種無線信号を変復調する無線部２と、液晶ディスプレイや有機ＥＬ等の表示装置からなる表示部３と、キー、ポインティングデバイスまたはジョグシャトル等の携帯電話機１のユーザの操作入力や文字入力などを検出する操作部４と、携帯電話機１の通話機能や電子メール機能などの各種機能を実現するためのプログラムや各種機能を実行するための設定等を記憶する記憶部５と、ハードウェア資源とソフトウェア資源が協働することにより通話機能、電子メール機能、プレビュー表示機能および文字数設定機能などの携帯電話機１の各種機能を実現する制御部６とを少なくとも有する。【選択図】　　　　図１
2004088305.tif 000002
【特許請求の範囲】
【請求項１】
電子メールの文字を入力する入力手段と、前記電子メールの内容を表示する表示手段とを有し、電子メールの作成、表示および送受信機能を備えた携帯端末装置において、
前記入力手段により入力された文字列をプレビュー表示に変換し、このプレビュー表示を前記表示手段に表示する変換手段
を備えたことを特徴とする携帯端末装置。
【請求項２】
請求項１記載の携帯端末装置において、
前記変換手段は、前記文字列を所定の書式のプレビュー表示に変換する
ことを特徴とする携帯端末装置。
【請求項３】
請求項２記載の携帯端末装置において、
前記所定の書式は、前記電子メールの宛先となる端末装置の端末表示手段に表示される前記文字列の書式である
ことを特徴とする携帯端末装置。
【請求項４】
請求項１ないし３のいずれか１項に記載の携帯端末装置において、
前記変換手段は、前記プレビュー表示において、前記文字をドットで表現する
ことを特徴とする携帯端末装置。
【請求項５】
請求項１ないし４のいずれか１項に記載の携帯端末装置において、
前記プレビュー表示における１行当たりの文字数を設定する第１の設定手段
をさらに備えたことを特徴とする携帯端末装置。
【請求項６】
請求項１ないし５のいずれか１項に記載の携帯端末装置において、
前記入力手段により入力された文字が所定の文字数を超えると、この所定の文字数を超える文字の前に改行コードを挿入する挿入手段
をさらに備えたことを特徴とする携帯端末装置。
【請求項７】
請求項３ないし５のいずれか１項に記載の携帯端末装置において、
前記端末表示手段の１行に表示するものとして前記入力手段により入力された文字が所定の文字数を超えると、この所定の文字数を超える文字の前に改行コードを挿入する挿入手段
をさらに備えたことを特徴とする携帯端末装置。
【請求項８】
請求項６または７記載の携帯端末装置において、
前記所定の文字数を設定する第２の設定手段
をさらに備えたことを特徴とする携帯端末装置。
【請求項９】
請求項３ないし８のいずれか１項に記載の携帯端末装置において、
前記端末表示手段に表示される電子メールの所定の部分の文字を前記表示手段に表示させる表示処理手段
をさらに備えたことを特徴とする携帯端末装置。
【請求項１０】
電子メールの文字を入力する入力手段と、前記電子メールの内容を表示する表示手段とを有し、電子メールの作成、表示および送受信機能を備えた携帯端末装置において、
前記電子メールの宛先となる端末装置の端末表示手段に表示される前記電子メールの所定の部分の文字を、前記表示手段に表示させる表示処理手段
を備えたことを特徴とする携帯端末装置。
【発明の詳細な説明】
【０００１】
【発明の属する技術分野】
本発明は、電子メールの機能を搭載した携帯端末装置に関する。
【０００２】
【従来の技術】
近年、電子メール機能を備えた携帯電話機、ＰＨＳ（Ｐｅｒｓｏｎａｌ　Ｈａｎｄｙ−ｐｈｏｎｅ　Ｓｙｓｔｅｍ）、ＰＤＡ（Ｐｅｒｓｏｎａｌ　Ｄｉｇｉｔａｌ　Ａｓｓｉｓｔａｎｔ）等の携帯端末装置が広く普及している。
このような携帯端末装置で電子メールを作成する場合、携帯端末装置のユーザは、電子メールの宛先となる端末装置の画面に電子メールが読みやすく表示されるよう、スペースや改行などを挿入することにより電子メールの文章の体裁を整える場合がある。このようにすると、宛先が携帯電話機、ＰＨＳまたはＰＤＡ等の携帯端末装置である場合、これらの画面には、送信元の携帯端末装置の画面で確認したのと同等の体裁の文章が表示される。
【０００３】
【発明が解決しようとする課題】
しかしながら、宛先となる端末装置がＰＣ（Ｐｅｒｓｏｎａｌ　Ｃｏｍｐｕｔｅｒ）等である場合、受信することができるデータ量が多い、画面が携帯端末装置より大きいなどの理由からＰＣ等の宛先端末装置の画面の１行に表示される文字数が携帯端末装置とは異なるため、従来の携帯端末装置では、この携帯端末装置の画面で確認したのと同等の体裁の文章がＰＣ等の画面に表示されるとは限らなかった。このため、従来の携帯端末装置では、携帯端末装置の画面で電子メールの文章の体裁を整えたとしても、宛先となるＰＣの画面にはわかりにくい文章が表示されることがあった。
そこで、本発明は、上述したような課題を解決するためになされたものであり、宛先となる端末装置の画面に表示される電子メールの文章の体裁を確認することができる携帯端末装置を提供することを目的とする。
【０００４】
【課題を解決するための手段】
上述したような課題を解決するために本発明にかかる携帯端末装置は、電子メールの文字を入力する入力手段と、電子メールの内容を表示する表示手段とを有し、電子メールの作成、表示および送受信機能を備えた携帯端末装置において、入力手段により入力された文字列をプレビュー表示に変換し、このプレビュー表示を表示手段に表示する変換手段を備えたことを特徴とする。この携帯端末装置によれば、表示手段には電子メールの文字列がプレビュー表示に変換されて表示される。
【０００５】
上記携帯端末装置において、変換手段は、文字列を所定の書式のプレビュー表示に変換するようにしてもよい。
また、上記携帯端末装置において、所定の書式は、電子メールの宛先となる端末装置の端末表示手段に表示される文字列の書式であるようにしてもよい。この携帯端末装置によれば、プレビュー表示では、電子メールの宛先となる端末装置における画面等の端末表示手段に表示される電子メールの文字列の書式が表示される。
【０００６】
上記携帯端末装置において、変換手段は、プレビュー表示において、文字をドットで表現する。この携帯端末装置によれば、プレビュー表示にすると、表示手段には、電子メールの文字列がドットで表示される。
【０００７】
上記携帯端末装置において、プレビュー表示における１行当たりの文字数を設定する第１の設定手段をさらに備えるようにしてもよい。この携帯端末装置によれば、プレビュー表示において、表示手段の１行に表示する文字数は、適宜自由に設定することができる。
【０００８】
上記携帯端末装置において、入力手段により入力された文字が所定の文字数を超えると、この所定の文字数を超える文字の前に改行コードを挿入する挿入手段をさらに備えるようにしてもよい。この携帯端末装置によれば、電子メールの文字列には、所定の文字数ごとに改行コードが挿入される。
また、端末表示手段の１行に表示するものとして入力手段により入力された文字が所定の文字数を超えると、この所定の文字数を超える文字の前に改行コードを挿入する挿入手段をさらに備えるようにしてもよい。この携帯端末装置によれば、端末表示手段に送信される電子メールの文字列には、所定の文字数ごとに改行コードが挿入される。
【０００９】
上記携帯端末装置において、所定の文字数を設定する第２の設定手段をさらに備えるようにしてもよい。この携帯端末装置によれば、電子メールの文字列に改行コード挿入する間隔を適宜自由に設定することができる。
【００１０】
また、上記携帯端末装置において、端末表示手段に表示される電子メールの所定の部分の文字列を表示手段に表示させる表示処理手段をさらに備えるようにしてもよい。この携帯端末装置によれば、端末表示手段に表示される電子メールの所定の部分の文字列を表示部に表示させることができる。
【００１１】
また、本発明にかかる携帯端末装置は、電子メールの文字を入力する入力手段と、前記電子メールの内容を表示する表示手段とを有し、電子メールの作成、表示および送受信機能を備えた携帯端末装置において、前記電子メールの宛先となる端末装置の端末表示手段に表示される前記電子メールの所定の部分の文字を、前記表示手段に表示させる表示処理手段を備えたことを特徴とする。この携帯端末装置によれば、この携帯端末装置によれば、端末表示手段に表示される電子メールの所定の部分の文字列を表示部に表示させることができる。
【００１２】
【発明の実施の形態】
以下、図面を参照して本発明にかかる携帯端末装置の実施の形態について詳細に説明する。
［第１の実施の形態］
まず、図１を参照して、第１の実施の形態にかかる携帯電話機の構成について説明する。図１は、第１の実施の形態にかかる携帯電話機の構成を示すブロック図である。なお、本実施の形態において、携帯端末装置として携帯電話機を例に説明するが、携帯端末装置は携帯電話機に限定されず、例えばＰＨＳ（Ｐｅｒｓｏｎａｌ　Ｈａｎｄｙ−ｐｈｏｎｅ　Ｓｙｓｔｅｍ）、ＰＤＡ（Ｐｅｒｓｏｎａｌ　Ｄｉｇｉｔａｌ　Ａｓｓｉｓｔａｎｔ）などの電子メール機能を備えた各種携帯端末装置に適用することができる。
【００１３】
本実施の形態にかかる携帯電話機１は、無線部２と、表示部３と、操作部４と、記憶部５と、制御部６とを少なくとも有する。
【００１４】
無線部２は、図示しないアンテナを介して基地局と送受信する各種無線信号を変復調する。
表示部３は、液晶ディスプレイや有機ＥＬ（Ｅｌｅｃｔｒｏ　Ｌｕｍｉｎｅｓｃｅｎｃｅ）等の表示装置からなり、携帯電話機１の各種機能、各種メニュー、電子メールの内容（電子メールの本文、プレビュー表示、部分表示）等を表示する。
操作部４は、キー、ポインティングデバイスまたはジョグシャトル等の携帯電話機１のユーザの操作入力や文字入力などを検出する装置からなり、検出したユーザの操作入力を制御部６に送出することにより入力手段としての機能を実現する。
記憶部５は、携帯電話機１の通話機能や電子メール機能などの各種機能を実現するためのプログラムや各種機能を実行するための設定等を記憶する。
【００１５】
制御部６は、ハードウェア資源とソフトウェア資源が協働することにより、通話機能、電子メール機能、プレビュー表示機能および文字数設定機能などの携帯電話機１の各種機能を実現する。また、制御部６は、電子メールの文章をドット表示などの文字以外の形態に変換することにより変換手段として、プレビュー表示時に１行に表示する文字数を設定することにより第１の設定手段としての機能を実現する。
【００１６】
次に、図２、３を参照して、本実施の形態にかかる携帯電話機１の動作について説明する。図２は第１の実施の形態にかかる携帯電話機１の文字数設定機能の動作を示すフローチャート、図３は第１の実施の形態にかかる携帯電話機１のプレビュー表示機能の動作を示すフローチャートである。
【００１７】
まず、図２を参照して、本実施の形態にかかる携帯電話機１の文字数設定機能の動作について説明する。
ユーザによる操作入力を操作部４が検出すると（ステップＳ２０１）、制御部６は、ユーザがメニュー表示における文字数設定機能を選択したか否かを判定する（ステップＳ２０２）。
ユーザが文字数設定機能以外のメニューを選択した場合（ステップＳ２０２：ＮＯ）、携帯電話機１は、ユーザが選択したメニューの処理を行い（ステップＳ２０８）、その処理が終了次第、動作を終了する。
【００１８】
ユーザが文字数設定機能を選択した場合（ステップＳ２０２：ＹＥＳ）、制御部６は、携帯電話機１で作成している電子メールを、プレビュー表示において１行につき何文字ずつ表示するか設定するよう、表示部３にその旨を表示させる（ステップＳ２０３）。なお、この際、例えば「５文字〜１００文字」などのように、プレビュー表示において１行に表示させる文字数の範囲を表示することもできる。これによりユーザは、その範囲を参照して１行に表示される文字数を選択することができる。
【００１９】
表示部３に表示された指示に基づいてユーザによる操作入力を操作部４が検出すると（ステップＳ２０４）、制御部６は、ユーザによる操作入力が確定したか否かを判定する（ステップＳ２０５）。
操作入力が確定しない場合（ステップＳ２０５：ＮＯ）、制御部６は、ステップＳ２０３に戻る。
【００２０】
操作入力が確定した場合（ステップＳ２０５：ＹＥＳ）、制御部６は、ユーザが操作部４により入力した値が、所定の文字数の範囲内であるか否かを確認する（ステップＳ２０６）。
入力された値が所定の範囲外である場合（ステップＳ２０６：ＮＯ）、制御部６は、ステップＳ２０３に戻る。
入力された値が所定の範囲内である場合（ステップＳ２０６：ＹＥＳ）、制御部６は、その値（設定値）を記憶部５に記憶する（ステップＳ２０７）。
【００２１】
上述したように本実施の形態にかかる携帯電話機１は、プレビュー表示において、１行につき何文字まで表示部３に表示するかを適宜自由に設定することができる。
【００２２】
次に、図３を参照して、本実施の形態にかかる携帯電話機１のプレビュー表示機能の動作について説明する。
制御部６は、ユーザが操作部４を操作したことを検出すると（ステップＳ３０１）、メニュー表示におけるプレビュー表示機能を選択したか否かを判定する（ステップＳ３０２）。
ユーザがプレビュー表示機能以外のメニューを選択した場合（ステップＳ３０２：ＮＯ）、制御部６は、ユーザが選択したメニューの処理を行い（ステップＳ３０６）、その処理が終了次第動作を終了する。
【００２３】
ユーザがプレビュー表示機能を選択した場合（ステップＳ３０２：ＹＥＳ）、制御部６は、記憶部５に記憶されている設定値、つまり１行に表示する文字数を読み込み（ステップＳ３０３）、この読み込んだ設定値に基づいて、編集中の電子メールの文字列をドット表示に変換していく。詳しく説明すると、制御部６は、編集中の電子メールの文章を先頭から１文字単位にドット表示（数ドットで１文字を表す）に変換していく。連続して文章が構成されている場合、制御部６は、設定値までの文字数をドット表示に変換した後に改行を行い、続けて残りの文章をドット表示に変換していく。文字数が設定値に達する前に文章の中に改行コードが挿入されている場合、制御部６は、改行コードの前までの文章をドット表示に変換した後に改行を行い、続く文章をドット表示に変換していく。
【００２４】
上述したようにして編集中の電子メールの文章をドット表示に変換すると、制御部６は、その変換結果をプレビュー表示として表示部３に表示する（ステップＳ３０５）。この表示部３に表示されるプレビュー表示の一例を図４に示す。図４は、本実施の形態にかかる携帯電話機１のプレビュー表示の一例を示す図である。
【００２５】
図４（ａ）に示す表示部３には、１行につき全角で１０文字表示することができる。この図４（ａ）に示す文章を、設定値を２０として表示部３にプレビュー表示した一例が図４（ｂ）である。図４（ａ）に示す電子メールの文章は、一文ごとに改行コードが挿入されており、一文が２０文字を超える文と超えない文とが混在している。このため、図４（ｂ）に示すように、一文が２０文字を超える文は２行以上にわたって連続してドット表示され、一文が２０文字を超えない文は１行のうち文字数に応じた長さでドット表示されている。また、図４（ａ）に示す電子メールの文章には、改行コードのみが存在する行がある。この行は、図４（ｂ）に示すように、ドット表示が存在しない行として表示される。
このように本実施の形態にかかる携帯電話機１は、プレビュー表示を実行することにより、編集中の電子メールの文章を構成する文字列が、宛先となる端末装置の端末表示手段として機能する画面にどのように表示されるか、その書式の体裁を確認することができる。これにより、本実施の形態にかかる携帯電話機１は、適宜電子メールの文章中にスペースや改行などを挿入して、電子メールの文章の体裁を整えることができる。
【００２６】
［第２の実施の形態］
次に、本発明にかかる第２の実施の形態について説明する。なお、第２の実施の形態は、電子メールの文章に所定の間隔で改行を挿入し、宛先となる端末装置の画面に電子メールの文章がどのように表示されるかその一部（所定の部分）を表示部３に表示することができるようにしたものである。そこで、第２の実施の形態において、第１の実施の形態と同等の構成要素には同じ符号および名称を付し、適宜説明を省略する。
【００２７】
制御部６は、ユーザから部分表示を要求する操作入力を操作部４が検出すると、編集中の電子メールの文章が宛先となる端末装置の画面に表示される一部分、例えば所定の行数間の文頭から所定の文字数などを表示部３に表示させる部分表示機能を実現することにより表示処理手段としての機能を実現する。また、制御部６は、電子メールの本文に改行コードを挿入することにより挿入手段として、改行コードを挿入する位置を設定することにより第２の設定手段としての機能を実現する。
【００２８】
次に、図５を参照して、本実施の形態にかかる携帯電話機１の改行位置設定機能の動作について説明する。図５は、第２の実施の形態にかかる携帯電話機１の改行位置設定機能の動作を示すフローチャートである。
ユーザによる操作入力を操作部４が検出すると（ステップＳ５０１）、制御部６は、ユーザがメニュー表示における改行文字数設定機能を選択したか否かを判定する（ステップＳ５０２）。
ユーザが改行文字数設定機能以外のメニューを選択した場合（ステップＳ５０２：ＮＯ）、携帯電話機１は、ユーザが選択したメニューの処理を行い（ステップＳ５０８）、その処理が終了次第、動作を終了する。
【００２９】
ユーザが改行文字数設定機能を選択した場合（ステップＳ５０２：ＹＥＳ）、制御部６は、携帯電話機１で編集している電子メールの文章において、改行コードを挿入する位置を設定するよう、表示部３にその旨を表示させる（ステップＳ５０３）。この際、例えば「５文字目〜１００文字目」などのように、改行コードを挿入する位置を文の先頭から数えて何文字目にするか、その文字数の範囲を表示することもできる。これによりユーザは、その範囲を参照して改行コードが挿入される位置を選択することができる。
【００３０】
表示部３に表示された指示に基づいてユーザによる操作入力を操作部４が検出すると（ステップＳ５０４）、制御部６は、ユーザによる操作入力が確定したか否かを判定する（ステップＳ５０５）。
操作入力が確定しない場合（ステップＳ５０５：ＮＯ）、制御部６は、ステップＳ５０３に戻る。
【００３１】
操作入力が確定した場合（ステップＳ５０５：ＹＥＳ）、制御部６は、ユーザが操作部４により入力した値が、所定の文字数の範囲内であるか否かを確認する（ステップＳ５０６）。
入力された値が所定の文字数の範囲外である場合（ステップＳ５０６：ＮＯ）、制御部６は、ステップＳ５０３に戻る。
入力された値が所定の文字数の範囲内である場合（ステップＳ５０６：ＹＥＳ）、制御部６は、その入力された値（改行値）を記憶部５に記憶する（ステップＳ５０７）。
【００３２】
上述したように本実施の形態にかかる携帯電話機１は、編集中の電子メールの文章に改行コードを挿入する位置を適宜自由に設定することができるので、電子メールの文章を構成する文字列の体裁をユーザが所望する体裁に整えることができる。
【００３３】
次に、図６を参照して、本実施の形態にかかる携帯電話機１の部分表示動作について説明する。図６は、第２の実施の形態にかかる携帯電話機１の部分表示動作を示すフローチャートである。
制御部６は、ユーザが操作部４を操作したことを検出すると（ステップＳ６０１）、メニュー表示におけるプレビュー表示を選択したか否かを判定する（ステップＳ６０２）。
ユーザがプレビュー表示機能以外のメニューを選択した場合（ステップＳ６０２：ＮＯ）、制御部６は、ユーザが選択したメニューの処理を行い（ステップＳ６０８）、その処理が終了次第動作を終了する。
【００３４】
ユーザがプレビュー表示を選択した場合（ステップＳ６０２：ＹＥＳ）、制御部６は、記憶部５に記憶されている改行値、つまり電子メールの文章において改行コードを挿入する位置を読み込み（ステップＳ６０３）、この読み込んだ改行値に基づいて、編集中の電子メールの文章に改行コードを挿入し、プレビュー表示に変換していく。詳しく説明すると、制御部６は、編集中の電子メールの文章を先頭から１文字単位にドット表示（数ドットで１文字を表す）に変換していく。改行コードの前までの文章をドット表示に変換し終わると、制御部６は、改行を行い、同様に残りの文章をドット表示に変換していく。
【００３５】
上述したように編集中の電子メールの文章をドット表示に変換すると、制御部６は、その変換結果をプレビュー表示として表示部３に表示する（ステップＳ６０５）。この際、ユーザから部分表示を要求する操作入力を操作部４が検出すると（ステップＳ６０６）、制御部６は、宛先となる端末装置の画面に表示する文章の文頭の１０文字を表示部３に表示する（ステップＳ６０７）。この表示部３に表示される部分表示の一例を図７に示す。図７は、本実施の形態にかかる携帯電話機１の部分表示の一例を示す図である。
【００３６】
図７（ａ）に示す表示部３は、図４（ａ）に示す表示部３に表示されている電子メールの文章において２０文字目に改行コードを挿入したものをプレビュー表示したものである。図７（ａ）に示すプレビュー表示は、電子メールの文章の全体の体裁を確認することができる。しかしながら、プレビュー表示では、文頭や文末の文字等を確認することができない。文章によっては、改行位置が変わると電子メールの書き手（ユーザ）が意図していたのとは違う意味に文章の内容をとらえられてしまう場合もある。また、前述したように、宛先となるＰＣなどの端末装置の画面は一般に表示部３より大きく、かつ表示することができる最大の文字数も表示部３より多いので、ＰＣなどの端末装置の画面に表示される電子メールを、同じ体裁かつユーザが読むことができる文字の大きさで表示部３に表示することは困難である。そこで、本実施の形態では、ユーザによる部分表示を要求する操作入力を操作部４が検出すると、図７（ｂ）に示すように表示部３に部分表示を表示するようにした。宛先となるＰＣなどの端末装置の画面には、図７（ｃ）に示すように、１行につき２０文字ごとに改行された文章が表示されるが、この文章の先頭の行から８行目までの各行の文頭から１０文字目までの部分を表示したのが図７（ｂ）である。このようにすることにより、本実施の形態にかかる携帯電話機１は、所定の位置で改行された各行の文頭など、宛先の端末装置の画面に表示される所定の書式の文章表示のうち、携帯電話機の表示部３の表示能力にあわせた任意のｍ行ｎ文字を確認することができるので、宛先の端末装置の画面に表示される電子メールの文章の体裁を確認でき、ユーザが意図した通りに文章の体裁を整えることが可能となる。
【００３７】
なお、本実施の形態において、電子メールの文章の１行目から８行目までの各行の文頭から１０文字目までが表示部３に部分表示されるようにしたが、表示される文字数は、１行目から８行目までの各行の文頭から１０文字目までに限定されず、表示部３において１行分に表示できる文字数の範囲内で適宜自由に設定することができる。
また、本実施の形態において、電子メールの文章の各行の文頭が部分表示されるように設定したが、部分表示をする場所は、文頭に限らず、例えば文末や文中など、適宜自由に設定することができる。この際、部分表示をする場所は、操作部４を操作することによりスクロールさせることもできる。
さらに、本実施の形態において、電子メールの文章の所定の箇所に改行コードを挿入せずに部分表示をするようにしてもよい。
【００３８】
【発明の効果】
以上説明したように本発明によれば、電子メールの文字列をドット表示などの他の形態に変換して表示手段に表示することにより、宛先となる端末装置の端末表示手段に表示される電子メールの本文を構成する文字列の体裁を確認することができる。
また、本発明によれば、表示部の１行に表示される他の形態の数量を設定することができるので、宛先となる端末装置の端末表示手段に表示される電子メールの本文の本文を構成する文字列の体裁を詳細に確認することができる。
【００３９】
また、本発明によれば、電子メールの文章の所定の位置に改行コードが挿入されるので、宛先となる端末装置の端末表示手段に表示される電子メールの文章の体裁を確認できるのみならず、所定の体裁に電子メールの文章の体裁を整えることができる。
さらに、本発明によれば、電子メールの文章の所定の位置に改行コードを挿入することができるので、宛先となる端末装置の端末表示手段に表示される電子メールの文章の体裁を確認できるのみならず、所定の体裁に電子メールの文章の体裁を整えることができる。
また、本発明によれば、宛先となる端末装置の端末表示手段に表示される電子メールの文章の所定の部分を表示部に表示することができるので、所定の体裁に電子メールの文章を整えることができる。
【図面の簡単な説明】
【図１】第１の実施の形態にかかる携帯電話機の構成を示すブロック図である。
【図２】第１の実施の形態にかかる携帯電話機１の文字数設定機能の動作を示すフローチャートである。
【図３】第１の実施の形態にかかる携帯電話機１のプレビュー表示機能の動作を示すフローチャートである。
【図４】第１の実施の形態にかかる携帯電話機１のプレビュー表示の一例を示す図である。
【図５】第２の実施の形態にかかる携帯電話機１の改行位置設定機能の動作を示すフローチャートである。
【図６】第２の実施の形態にかかる携帯電話機１の部分表示機能の動作を示すフローチャートである。
【図７】本実施の形態にかかる携帯電話機１の部分表示の一例を示す図である。
【符号の説明】
１…携帯電話機、２…無線部、３…表示部、４…操作部、５…記憶部、６…制御部。
【図１】
2004088305.tif 000003
【図２】
2004088305.tif 000004
【図３】
2004088305.tif 000005
【図４】
2004088305.tif 000006
【図５】
2004088305.tif 000007
【図６】
2004088305.tif 000008
【図７】
2004088305.tif 000009